(57)【要約】【課題】原稿が適正な位置に載置されたか否かを利用者に対して通知可能な画像処理装置、及び画像処理装置用のプログラムを提供すること。【解決手段】画像処理装置は、支持面で原稿を支持可能な支持部と、原稿の画像を読み取り可能な読取部と、読取部によって読み取られた原稿の画像を表す画像データに関するデータ処理を実行可能な処理部とを備える。処理部は、複数の受光素子による受光状態に基づき、原稿が支持面に適正に載置されているか否かを判断し、原稿が適正に載置されていると判断された場合に、光源を第一の点灯状態とは異なる第二の点灯状態で点灯させた状態に切り替える。【選択図】図３
2017200146.tif 000002
【特許請求の範囲】
【請求項１】
支持面によって原稿を支持可能な支持部と、
前記支持部を挟んで前記原稿とは反対側から光を照射可能な光源、及び主走査方向に配列された複数の受光素子を有し、前記支持部に沿って前記主走査方向に直交する副走査方向へ移動しながら、前記複数の受光素子によって前記原稿の画像を読み取り可能な読取部と、
前記読取部によって読み取られた前記原稿の画像を表す画像データに関するデータ処理を実行可能な処理部と
を備え、
前記処理部は、
前記読取部によって読み取られた前記原稿の画像が印刷出力又はファイル出力される際の出力画像のサイズに応じて決定される位置、又はあらかじめ定められた位置のいずれかである原稿検出位置において前記読取部を静止させた状態、かつ、前記光源を第一の点灯状態で点灯させた状態にして、当該状態における前記複数の受光素子による受光状態に基づき、前記原稿が前記支持面に適正に載置されているか否かを判断する判断処理と、
前記判断処理によって前記原稿が適正に載置されていると判断された場合に、前記光源を前記第一の点灯状態とは異なる第二の点灯状態で点灯させた状態に切り替える切り替え処理と
を実行可能に構成されている画像処理装置。
【請求項２】
請求項１に記載の画像処理装置であって、
前記第一の点灯状態及び前記第二の点灯状態は、前記光源の発光色、及び前記光源の点滅パターンのうち、少なくとも一方が互いに異なる点灯状態とされている
画像処理装置。
【請求項３】
請求項１に記載の画像処理装置であって、
前記処理部は、前記判断処理によって前記原稿が適正に載置されていないと判断された場合に、前記切り替え処理において、前記光源を前記第一の点灯状態及び前記第二の点灯状態とは異なる第三の点灯状態で点灯させた状態に切り替えるように構成されている
画像処理装置。
【請求項４】
請求項３に記載の画像処理装置であって、
前記第一の点灯状態及び前記第二の点灯状態は、前記光源の発光色、及び前記光源の点滅パターンのうち、少なくとも一方が互いに異なる点灯状態とされ、
前記第一の点灯状態及び前記第三の点灯状態は、前記光源の発光色、及び前記光源の点滅パターンのうち、少なくとも一方が互いに異なる点灯状態とされ、
前記第二の点灯状態及び前記第三の点灯状態は、前記光源の発光色、及び前記光源の点滅パターンのうち、少なくとも一方が互いに異なる点灯状態とされている
画像処理装置。
【請求項５】
請求項３又は請求項４に記載の画像処理装置であって、
前記処理部は、前記切り替え処理によって前記光源を前記第三の点灯状態に切り替えた後、再度、前記判断処理を実行するように構成されている
画像処理装置。
【請求項６】
請求項１から請求項５までのいずれか一項に記載の画像処理装置であって、
前記処理部は、前記判断処理において、前記複数の受光素子による受光状態に基づき、前記読取部によって前記原稿の画像を読み取り可能な範囲から前記原稿がはみ出している可能性があると推定された場合に、前記原稿が適正に載置されていないと判断するように
構成されている
画像処理装置。
【請求項７】
請求項１から請求項６までのいずれか一項に記載の画像処理装置であって、
前記処理部は、前記判断処理において、前記複数の受光素子による受光状態に基づき、前記原稿の向きが、長方形の前記原稿が有する長辺と前記副走査方向が平行となる向きにされている可能性があると推定された場合に、前記原稿が適正に載置されていないと判断するように構成されている
画像処理装置。
【請求項８】
請求項６又は請求項７に記載の画像処理装置であって、
前記処理部は、前記判断処理において、前記複数の受光素子による受光状態に基づき、前記主走査方向について前記原稿が存在する範囲と前記原稿が存在しない範囲とを判断し、それら二種の範囲に基づいて、前記原稿が前記支持面に適正に載置されているか否かを判断するように構成されている
画像処理装置。
【請求項９】
請求項１から請求項８までのいずれか一項に記載の画像処理装置であって、
可視情報を表示可能な表示部を備え、
前記処理部は、前記切り替え処理によって前記光源の点灯状態が切り替えられるのに伴って、前記光源の点灯状態に対応する可視情報を前記表示部に表示することにより、前記光源の点灯状態が示す意味を報知する報知処理を実行可能に構成されている
画像処理装置。
【請求項１０】
請求項１から請求項９までのいずれか一項に記載の画像処理装置であって、
前記処理部は、出力画像のサイズに応じて前記原稿の画像を読み取る際の読取範囲を決定するとともに、当該読取範囲に応じて前記原稿検出位置を決定するように構成されている
画像処理装置。
【請求項１１】
請求項１から請求項１０までのいずれか一項に記載の画像処理装置であって、
前記処理部は、前記原稿が有する一方の面の画像と他方の面の画像とをそれぞれ読み取ってから、それら二つの画像を合成して単一の出力画像として出力する合成処理を実行可能に構成されていて、
前記一方の面の画像を読み取る場合、及び前記他方の面の画像を読み取る場合、それぞれにおいて、前記判断処理及び当該判断処理に引き続いて実行される各処理が実行されるように構成されている
画像処理装置。
【請求項１２】
支持面によって原稿を支持可能な支持部と、前記支持部を挟んで前記原稿とは反対側から光を照射可能な光源、及び主走査方向に配列された複数の受光素子を有し、前記支持部に沿って前記主走査方向に直交する副走査方向へ移動しながら、前記複数の受光素子によって前記原稿の画像を読み取り可能な読取部と、前記読取部によって読み取られた前記原稿の画像を表す画像データに関するデータ処理を実行可能な処理部とを備えた画像処理装置において、前記処理部に、
あらかじめ定められた位置又は出力画像のサイズに応じて決定される位置のいずれかである原稿検出位置で前記読取部を静止させた状態、かつ、前記光源を第一の点灯状態で点灯させた状態にして、当該状態における前記複数の受光素子による受光状態に基づき、前記原稿が前記支持面に適正に載置されているか否かを判断する判断処理と、
前記判断処理によって前記原稿が適正に載置されていると判断された場合に、前記光源
を前記第一の点灯状態とは異なる第二の点灯状態で点灯させた状態に切り替える切り替え処理と
を実行させる画像処理装置用のプログラム。
【発明の詳細な説明】
【技術分野】
【０００１】
本開示は、画像処理装置、及び画像処理装置用のプログラムに関する。
【背景技術】
【０００２】
免許証のコピーを作成する機能を備えた装置が知られている（例えば、特許文献１参照。）。このような装置を利用して免許証のコピーを作成する際には、イメージスキャナによって免許証の画像が読み取られ、その画像が被記録媒体に記録（印刷）される。
【先行技術文献】
【特許文献】
【０００３】
【特許文献１】特開２００９−１００１０２号公報
【発明の概要】
【発明が解決しようとする課題】
【０００４】
しかしながら、上記特許文献１に記載の装置の場合、原稿台の原点に合わせて免許証をセットするように指示するメッセージは表示されるものの、実際に適正な位置に免許証がセットされたか否かを、装置側で判定するような仕組みにはなっていない。そのため、例えば利用者が原稿台の原点の位置を誤認しているような場合に、仮に不適正な位置に免許証がセットされたとしても、免許証のセット位置に誤りがある旨を利用者に対して通知するようなことはできなかった。したがって、そのような誤りに気づかないまま利用者がスタートキーを操作すれば、免許証の画像の一部が欠落した状態で被記録媒体に記録されてしまう可能性もあり、被記録媒体を無駄に消費してしまうおそれがあった。また、利用者は、再度、免許証を適切な位置に置き直し、読み取らせる作業を行う必要があった。
【０００５】
以上のような事情から、原稿が適正な位置に載置されたか否かを利用者に対して通知可能な画像処理装置、及び画像処理装置用のプログラムを提供することが望ましい。
【課題を解決するための手段】
【０００６】
以下に説明する画像処理装置は、支持面によって原稿を支持可能な支持部と、支持部を挟んで原稿とは反対側から光を照射可能な光源、及び主走査方向に配列された複数の受光素子を有し、支持部に沿って主走査方向に直交する副走査方向へ移動しながら、複数の受光素子によって原稿の画像を読み取り可能な読取部と、読取部によって読み取られた原稿の画像を表す画像データに関するデータ処理を実行可能な処理部とを備え、処理部は、読取部によって読み取られた原稿の画像が印刷出力又はファイル出力される際の出力画像のサイズに応じて決定される位置、又はあらかじめ定められた位置のいずれかである原稿検出位置において読取部を静止させた状態、かつ、光源を第一の点灯状態で点灯させた状態にして、当該状態における複数の受光素子による受光状態に基づき、原稿が支持面に適正に載置されているか否かを判断する判断処理と、判断処理によって原稿が適正に載置されていると判断された場合に、光源を第一の点灯状態とは異なる第二の点灯状態で点灯させた状態に切り替える切り替え処理とを実行可能に構成されている。
【０００７】
このように構成された画像処理装置によれば、読取部が原稿検出位置で静止して光源が第一の点灯状態で点灯する状態になる。原稿を載置すべき位置は、原稿検出位置に対して所定の相対位置とされている。そのため、利用者は読取部の存在する位置を目安にして、原稿を適正な位置に載置することができ、その作業を容易に実施することができる。また、適正な位置に原稿が載置された場合は、光源の点灯状態が第一の点灯状態から第二の点灯状態に切り替わる。そのため、この点灯状態の変化によって適正な位置に原稿が載置さ
れたことを確認できるので、原稿を極めて容易に適正な位置に載置することができる。
【０００８】
また、以下に説明する画像処理装置用のプログラムは、支持面によって原稿を支持可能な支持部と、支持部を挟んで原稿とは反対側から光を照射可能な光源、及び主走査方向に配列された複数の受光素子を有し、支持部に沿って主走査方向に直交する副走査方向へ移動しながら、複数の受光素子によって原稿の画像を読み取り可能な読取部と、読取部によって読み取られた原稿の画像を表す画像データに関するデータ処理を実行可能な処理部とを備えた画像処理装置において、処理部に、あらかじめ定められた位置又は出力画像のサイズに応じて決定される位置のいずれかである原稿検出位置で読取部を静止させた状態、かつ、光源を第一の点灯状態で点灯させた状態にして、当該状態における複数の受光素子による受光状態に基づき、原稿が支持面に適正に載置されているか否かを判断する判断処理と、判断処理によって原稿が適正に載置されていると判断された場合に、光源を第一の点灯状態とは異なる第二の点灯状態で点灯させた状態に切り替える切り替え処理とを実行させる。
【０００９】
このように構成された画像処理装置用のプログラムを利用すれば、本開示の画像処理装置を構成することができる。
【図面の簡単な説明】
【００１０】
【図１】図１は複合機の概略の構成を示すブロック図である。
【図２】図２Ａは待機画面を示す説明図である。図２ＢはＣｏｐｙ画面を示す説明図である。図２Ｃは案内画面を示す説明図である。図２Ｄはエラーメッセージ画面（その１）を示す説明図である。図２Ｅはエラーメッセージ画面（その２）を示す説明図である。図２ＦはＯＫ画面を示す説明図である。図２Ｇはスキャン開始画面を示す説明図である。
【図３】図３はＩＤコピー処理のフローチャートである。
【図４】図４はプラテンガラス、読取部、読取範囲、及び原稿検出位置等を示す説明図である。
【図５】図５ＡはＩＤカードが読取範囲からはみ出している状態を示す説明図である。図５Ｂは読取範囲からはみ出したＩＤカードから１ライン分の画像を読み取った場合における主走査方向の輝度分布を例示するグラフである。
【図６】図６ＡはＩＤカードが横置きされている状態を示す説明図である。図６Ｂは横置きされたＩＤカードから１ライン分の画像を読み取った場合における主走査方向の輝度分布を例示するグラフである。
【図７】図７はＩＤカードの表面の画像と裏面の画像を合成して、その合成された画像を被記録媒体に記録した状態を示す説明図である。
【発明を実施するための形態】
【００１１】
次に、上述の画像処理装置について、例示的な実施形態を挙げて説明する。
［画像処理装置の構成］
複合機１（本明細書でいう画像処理装置の一例に相当。）は、図１に示すように、ＣＰＵ３（本開示でいう処理部の一例に相当。）、ＲＡＭ５、ＲＯＭ７を備えている。また、複合機１は、読取部１１、画像形成部１２、補助記憶部１３、入力部１４、表示部１５、及び通信部１６を備え、これら各部がインターフェース部１８を介してＣＰＵ３に接続されている。
【００１２】
ＣＰＵ３は、ＲＡＭ５やＲＯＭ７に記憶されたプログラムに従って各種処理を実行することにより、複合機１の各部（例えば読取部１１、画像形成部１２、補助記憶部１３、入力部１４、表示部１５、及び通信部１６）を制御する。ＲＡＭ５は、上述のプログラムの他、各種データを記憶することができる。
【００１３】
読取部１１は、光源１１Ａと受光素子１１Ｂとを有する。本実施形態の場合、読取部１１は、ＣＩＳ（Contact Image Sensor）によって構成され、受光素子１１Ｂとしては、ＣＭＯＳイメージセンサが採用されている。なお、ＣＭＯＳは相補型金属酸化膜半導体電界効果トランジスタ（Complementary metal-oxide-semiconductor field-effect transistor）の略称である。また、光源１１Ａは、本実施形態の場合、赤色（Ｒ）、緑色（Ｇ）、及び青色（Ｂ）の三色を組み合わせて発光可能なＬＥＤ（発光ダイオード）によって構成されている。
【００１４】
読取部１１は、光源１１Ａにおいて上記三色の光を切り替えつつ、その光を読み取り対象物に向かって投射し、読み取り対象物から反射する光を受光素子１１Ｂにおいて受光する。これにより、読取部１１は、読み取り対象物の画像を光学的に読み取り、読み取った画像を表す画像データを出力する。読取部１１から出力される画像データは、ＲＡＭ５に記憶されて、その後の出力処理等において利用される。
【００１５】
画像形成部１２は、電子写真方式又はインクジェット方式で被記録媒体に対して画像を形成可能に構成されている。補助記憶部１３は、ＲＡＭ５よりも大容量の記憶装置（例えば、フラッシュメモリやハードディスク装置など。）によって構成されている。入力部１４は、タッチパネル等によって構成され、利用者が複合機１に対して各種指令を与える際に利用者によって操作される。
【００１６】
表示部１５は、液晶ディスプレイ等によって構成され、複合機１から利用者に対して提供される各種情報が表示される。また、入力部１４においてタッチパネルを採用している場合には、タッチパネルが表示部１５に重ねて配置され、タッチパネルの操作箇所を示すための画像（例えば、スイッチやボタンの画像。）などは表示部１５に表示される。通信部１６は、無線ＬＡＮ（Local Area Network）に対応した通信装置、及び有線ＬＡＮに対応した通信装置によって構成されている。
【００１７】
［ＩＤコピー機能］
次に、上記複合機１が備える機能の一つであるＩＤコピー機能について説明する。ＩＤコピー機能は、ＩＤカードの画像を読み取り、その画像を印刷出力又はファイル出力する機能である。本実施形態の場合は、ＩＤカードの表面の画像と裏面の画像とをそれぞれ読み取ってから、それら二つの画像を原寸大のまま並べて単一の画像に合成し、その合成された画像を印刷出力又はファイル出力するように構成されている。
【００１８】
ただし、表面の画像と裏面の画像を合成して出力するか否かは任意であり、例えば、表面の画像又は裏面の画像それぞれを単独で出力するように構成されていてもよい。あるいは、表面の画像と裏面の画像を合成して出力するか、表面の画像又は裏面の画像それぞれを単独で出力するかの設定を、利用者が任意に切り替え可能に構成されていてもよい。
【００１９】
また、本実施形態の場合、ＩＤカードとしては、「ＩＳＯ／ＩＥＣ  ７８１０」で規定された「ＩＤ−１」に準拠したものを想定している。「ＩＤ−１」の場合、カードサイズは８５．６０×５３．９８ｍｍと規定されている。このようなサイズのＩＤカードの例としては、日本の自動車運転免許証を挙げることができる。詳しくは後述するが、本実施形態では、上記カードサイズを考慮して画像の読み取り範囲が設定される。
【００２０】
ただし、画像の読み取り範囲のサイズを「ＩＤ−１」準拠のカードサイズに対応するサイズとするか否かは任意であり、画像の読み取り範囲のサイズは、他のカードサイズに対応したサイズとされてもよい。例えば、上記「ＩＳＯ／ＩＥＣ  ７８１０」では「ＩＤ−１」以外に「ＩＤ−２（１０５ｍｍ×７４ｍｍ）」、「ＩＤ−３（１２５ｍｍ×８８ｍｍ）」などのサイズも規定されているので、これらのサイズを考慮して画像の読み取り範囲
が設定されてもよい。あるいは、これらのサイズ以外のサイズに対応していてもよい。
【００２１】
また、このように複数のカードサイズそれぞれの利用が想定される場合には、複数のカードサイズのいずれを利用したいのかについて、利用者が任意に選択できるように構成されていてもよい。あるいは、複数のカードサイズのいずれを利用するのかについては、いずれか一つのカードサイズが工場出荷段階で設定されていてもよい。例えば、出荷先となる国や地域毎に多用されるカードサイズが決まっている場合には、そのような多用されるカードサイズを工場出荷段階で設定することにより、出荷先となる国や地域専用のモデルを構成してもよい。
【００２２】
複合機１においてＩＤコピー機能を利用する際には、入力部１４において利用者がＩＤコピー機能を選択する。例えば、図２Ａに示すように、表示部１５に待機画面が表示されている状態において、利用者が待機画面上に表示されているＣｏｐｙボタン２０Ａにタッチすると、その操作が入力部１４のタッチパネルによって検出される。この場合、表示部１５に表示される画面が、図２Ａに示す待機画面から、図２Ｂに示すＣｏｐｙ画面に切り替わる。そして、表示部１５にＣｏｐｙ画面が表示されている状態において、利用者がＣｏｐｙ画面上に表示されているＩＤ  Ｃｏｐｙボタン２０Ｂにタッチすると、その操作が入力部１４のタッチパネルによって検出される。これにより、複合機１では、ＣＰＵ３によって図３に示すＩＤコピー処理が実行され、複合機１の作動モードがＩＤコピー機能に対応したモード（以下、ＩＤコピーモードと称する。）へと移行する。
【００２３】
ＩＤコピー処理を開始すると、複合機１は、まず、読取部１１を原稿検出位置へ移動させる（Ｓ１０）。Ｓ１０を実行すると、読取部１１は、図４に示すように、読取範囲Ｒ１における副走査方向中央（図４中でいう左右方向中央。）に設定された原稿検出位置へと移動する。
【００２４】
図４に示す例の場合、読取範囲Ｒ１は、概ねプラテンガラス２１（本開示でいう支持部の一例に相当。）の左半分程度の領域とされている。より詳細には、本実施形態の場合、読取範囲Ｒ１は、ＩＤコピー機能によって最終的に出力されることになる出力画像のサイズに応じて、その位置及びサイズが決まる領域とされている。図４に示す例の場合、出力画像のサイズとしては、事前にＡ４サイズ（幅２１０ｍｍ×長さ２９７ｍｍ）が選択されている。そのため、図４に示す主走査方向の幅Ｗ１と副走査方向の長さＬ１としては、Ａ４サイズに収まるサイズ（図４に示す例の場合は幅２０４ｍｍ×長さ２９１ｍｍ）が設定されている。
【００２５】
読取範囲Ｒ１は、上記Ａ４サイズに収まるサイズを副走査方向について二等分した領域（すなわち、幅Ｗ１×長さＬ２の領域。Ｌ２＝Ｌ１／２。）とされている。読取部１１の移動先となる原稿検出位置は、長さＬ２を二等分した位置（すなわち、長さＬ３＝Ｌ２／２となる位置。）とされている。利用者は、原稿検出位置へと移動した読取部１１を目安にして、読取部１１の上方にＩＤカード２５を載置することにより、ＩＤカード２５を読取範囲Ｒ１の範囲内に載置することができる。
【００２６】
また、図４に示す例の場合、プラテンガラス２１の原点位置は、図４中でいう左後の隅に設定されている。ただし、プラテンガラス２１の後端及び左端付近は、公差の範囲内で読み取り可能な範囲にばらつきが生じる可能性がある。そのため、読取範囲Ｒ１は、プラテンガラス２１の後端から幅Ｍ１（本実施形態では幅３ｍｍ。）だけ離れた位置、かつ、プラテンガラス２１の左端から幅Ｍ２（本実施形態では幅３ｍｍ。）だけ離れた位置に設定されている。
【００２７】
Ｓ１０を終えたら、複合機１は、読取部１１を黄色に点灯させる（Ｓ２０）。Ｓ２０で
は、読取部１１の光源１１Ａが黄色に点灯する。また、Ｓ２０では、図２Ｃに示すように、表示部１５に案内画面を表示する。案内画面には、黄色に点灯した読取部１１の上方にＩＤカードが載置されている状態を表す画像２０Ｃ、及び「黄色く光っている場所の中央に原稿を置いてください」とのメッセージが含まれる。このような案内画面を表示部１５に表示することにより、複合機１は、プラテンガラス２１上のどのような位置にＩＤカード２５を載置すればよいのかを報知する。
【００２８】
Ｓ２０を終えたら、複合機１は、ＩＤカード２５を検出したか否かを判断する（Ｓ３０）。ＩＤカード２５が読取部１１の上方に載置された場合、光源１１ＡからＩＤカード２５に照射される光は、ＩＤカード２５で反射して受光素子１１Ｂによって受光される。一方、読取部１１の上方に何も載置されていない場合、光源１１Ａから照射される光が受光素子１１Ｂによって受光されることはない。したがって、Ｓ３０では、読取部１１を原稿検出位置に静止させた状態で、受光素子１１Ｂによる受光状態に基づき、ＩＤカード２５を検出したか否かを判断する。
【００２９】
Ｓ３０において、ＩＤカード２５が検出されていないと判断された場合（Ｓ３０でＮＯ）、複合機１は、タイムアウトか否かを判定する（Ｓ４０）。Ｓ４０では、例えば、Ｓ２０の実行後、所定時間（例えば１分。）を経過していなければ否定判断、所定時間を経過していれば肯定判断がなされる。なお、タイムアウトまでの所定時間は、例示した１分に限定されない。また、利用者が所定時間をいくつかの選択肢の中から選択可能、又は、任意の時間に変更可能とされていてもよい。Ｓ４０でタイムアウトではないと判断された場合は（Ｓ４０でＮＯ）、Ｓ３０へと戻る。これにより、Ｓ３０〜Ｓ４０が繰り返し実行されることになる。そして、Ｓ４０でタイムアウトに至ったと判断された場合は（Ｓ４０でＹＥＳ）、図３に示すＩＤコピー処理を終了する。
【００３０】
一方、Ｓ３０〜Ｓ４０が繰り返し実行される中、Ｓ３０において、ＩＤカード２５を検出したと判断した場合（Ｓ３０でＹＥＳ）、複合機１は、ＩＤカードの位置を判定する（Ｓ５０）。本実施形態の場合、Ｓ５０では、ＩＤカード２５が読取範囲Ｒ１からはみ出しているか否かと、ＩＤカード２５が横置きされているか否かとを判定する。より詳しく説明すると、本実施形態において、ＩＤカード２５が読取範囲Ｒ１からはみ出していると判定されるのは、ＩＤカード２５が図５Ａに示すような位置にある場合である。この場合、ＩＤカード２５は、読取部１１の上方に載置されているものの、読取範囲Ｒ１から後方にはみ出している。
【００３１】
このような位置にあるＩＤカード２５を読取部１１によって読み取った場合、主走査方向（図５Ａ及び図５Ｂ中でいう前後方向。）の輝度分布は、図５Ｂに示すように、読取範囲Ｒ１の幅Ｗ１のうち、幅Ｃ２の範囲内において幅Ｃ２の範囲外よりも輝度が高くなる。輝度が高い幅Ｃ２の範囲は、読取範囲Ｒ１（幅Ｗ１の範囲）の後端に達していて、読取範囲Ｒ１の後端には、幅Ｃ２の範囲外と同等に輝度が低くなる範囲が存在しない。
【００３２】
そこで、Ｓ５０では、読取範囲Ｒ１の後端にある画素の輝度が所定のしきい値よりも高い場合には、ＩＤカード２５が読取範囲Ｒ１から後方へはみ出していると判定する。なお、図示を交えての説明は省略するが、読取範囲Ｒ１の前端についても同様の判定をすることにより、ＩＤカード２５が読取範囲Ｒ１から前方へはみ出していると判定することができる。
【００３３】
また、本実施形態において、ＩＤカード２５が横置きされていると判定されるのは、ＩＤカード２５が図６Ａに示すような位置にある場合である。この場合、ＩＤカード２５は、読取部１１の上方に載置されているものの、略長方形に形成されたＩＤカード２５の長辺が副走査方向（図６Ａ中でいう左右方向。）と平行となる向きにされている。ＩＤカー
ド２５がこのような向き（すなわち、横置き。）にされた場合、図６Ａにおいても例示してある通り、読取範囲Ｒ１からはみ出す可能性がある。
【００３４】
このように横置きにされたＩＤカード２５を読取部１１によって読み取った場合、主走査方向（図６Ａ及び図６Ｂ中でいう前後方向。）の輝度分布は、図６Ｂに示すように、読取範囲Ｒ１の幅Ｗ１のうち、幅Ｃ３の範囲内において幅Ｃ３の範囲外よりも輝度が高くなる。この場合、輝度が高い範囲の幅Ｃ３は、ＩＤカード２５が縦置きされた場合の幅Ｃ１（図５Ａ参照。）よりも狭くなる。そこで、Ｓ５０では、輝度が高い範囲の幅Ｃ３が所定のしきい値よりも小となる場合には、ＩＤカード２５が横置きされていると判定する。
【００３５】
Ｓ５０を終えたら、複合機１は、ＩＤカード２５の位置が適正か否かを判断する（Ｓ６０）。Ｓ６０では、Ｓ５０での判定の結果、ＩＤカード２５が読取範囲Ｒ１から前方及び後方へはみ出しておらず、かつ、横置きもされていない、と判定されている場合に、ＩＤカード２５の位置が適正であると判断する。また、ＩＤカード２５が読取範囲Ｒ１から前方又は後方のいずれかへはみ出している場合、又は、ＩＤカード２５が横置きされている場合には、ＩＤカード２５の位置が適正ではないと判断する。
【００３６】
Ｓ６０において、ＩＤカード２５の位置が適正ではないと判断された場合（Ｓ６０でＮＯ）、複合機１は、読取部１１を赤色に点灯させる（Ｓ７０）。Ｓ７０では、読取部１１の光源１１Ａが赤色に点灯する。また、Ｓ７０では、ＩＤカード２５の位置が適正ではないと判断された理由に応じて、図２Ｄに示すエラーメッセージ画面、又は図２Ｅに示すエラーメッセージ画面のいずれかを、表示部１５に表示する。
【００３７】
これらのエラーメッセージ画面には、赤色に点灯した読取部１１の上方にＩＤカードが載置されている状態を表す画像２０Ｄが含まれる。また、ＩＤカード２５の位置が適正ではないと判断された理由に応じて、「原稿を中央に移動させてください」又は「原稿を縦置きにしてください」とのメッセージが含まれる。このようなエラーメッセージ画面を表示部１５に表示することにより、複合機１は、原稿の載置位置をどのように修正すればよいのかを利用者に報知する。Ｓ７０を終えた場合は、Ｓ３０へと戻る。これにより、Ｓ３０〜Ｓ７０が繰り返し実行されることになる。なお、この繰り返し処理の中で、ＩＤカード２５が検出できなくなれば、Ｓ３０で否定判定がなされる。その場合、Ｓ４０でタイムアウトと判定されれば（Ｓ４０でＹＥＳ）、ＩＤコピー処理を終了する。
【００３８】
一方、Ｓ６０において、ＩＤカード２５の位置が適正であると判断された場合（Ｓ６０でＹＥＳ）、複合機１は、読取部１１を緑色に点灯させる（Ｓ８０）。Ｓ８０では、読取部１１の光源１１Ａが緑色に点灯する。また、Ｓ８０では、図２Ｆに示すＯＫ画面を表示部１５に表示する。ＯＫ画面には、緑色に点灯した読取部１１の上方にＩＤカードが載置されている状態を表す画像２０Ｅ、「ＯＫ」とのメッセージ、及びＳｔａｒｔボタン２０Ｆが含まれる。
【００３９】
Ｓ８０を終えたら、複合機１は、Ｓｔａｒｔボタン２０Ｆが押下されたか否かを判断する（Ｓ９０）。Ｓ９０において、Ｓｔａｒｔボタン２０Ｆが押下されていないと判断された場合（Ｓ９０でＮＯ）、複合機１は、タイムアウトか否かを判定する（Ｓ１００）。Ｓ１００では、例えば、Ｓ８０の実行後、所定時間（例えば１分。）を経過していなければ否定判断、所定時間を経過していれば肯定判断がなされる。なお、Ｓ４０の場合と同様に、タイムアウトまでの所定時間は、例示した１分に限定されない。また、利用者が所定時間をいくつかの選択肢の中から選択可能、又は、任意の時間に変更可能とされていてもよい。Ｓ１００でタイムアウトではないと判断された場合は（Ｓ１００でＮＯ）、Ｓ９０へと戻る。これにより、Ｓ９０〜Ｓ１００が繰り返し実行されることになる。そして、Ｓ１００でタイムアウトに至ったと判断された場合は（Ｓ１００でＹＥＳ）、図３に示すＩＤ
コピー処理を終了する。
【００４０】
一方、Ｓ９０〜Ｓ１００が繰り返し実行される中、利用者がＯＫ画面上に表示されているＳｔａｒｔボタン２０Ｆにタッチすると、その操作が入力部１４のタッチパネルによって検出される。この場合は、Ｓ９０において、Ｓｔａｒｔボタン２０Ｆが押下されたと判断され（Ｓ９０でＹＥＳ）、複合機１は、ＩＤカード２５をスキャンする（Ｓ１１０）。Ｓ１１０では、スキャンを開始するに当たって、図２Ｇに示すスキャン開始画面を表示部１５に表示する。
【００４１】
Ｓ１１０を終えたら、複合機１は、表・裏ともにスキャンを完了したか否かを判断する（Ｓ１２０）。Ｓ１２０において、表・裏いずれかのスキャンを完了していないと判断された場合は（Ｓ１２０でＮＯ）、Ｓ１０へと戻る。これにより、上述のＳ１０〜Ｓ１２０を繰り返し、二回目のスキャンを実行することになる。一方、このような二回目のスキャンを実行する中で、Ｓ１２０へ進んだ場合は、Ｓ１２０において、表・裏ともにスキャンを完了したと判断されることになる（Ｓ１２０でＹＥＳ）。
【００４２】
その場合、複合機１は、スキャンしたＩＤカード２５の画像を印刷又はファイル出力する（Ｓ１３０）。Ｓ１３０において、画像を印刷するかファイル出力するかは、事前の設定に従って決定されてもよいし、Ｓ１３０の実行時に利用者が任意に選択できるようになっていてもよい。印刷出力の場合は、画像形成部１２において被記録媒体に対して画像が形成され、その被記録媒体が複合機１から排出される。ファイル出力の場合は、事前の設定又はＳ１３０の実行時の選択に従って、ＪＰＥＧ（Joint Photographic Experts Group）形式のファイル、ＴＩＦＦ（Tagged Image File Format）形式のファイル、ＰＤＦ（Portable Document Format）形式のファイル等が生成される。これらのファイルは、事前の設定又はＳ１３０の実行時の選択に従って、補助記憶部１３に格納されるか、更にこれらのファイルが添付された電子メール形式に変換されて通信部１６を介してメールサーバ（図示略。）へと送信される。
【００４３】
Ｓ１３０では、例えば図７に例示するように、一回目のＳ１１０で読み取られた画像Ｇ１と、二回目のＳ１１０で読み取られた画像Ｇ２が、単一の画像に合成され、その合成された画像が被記録媒体２７に対して記録される。画像がファイル出力される場合も、二つの画像が単一の画像に合成される点は同様である。Ｓ１３０を終えたら、ＩＤコピー処理を終了する。
【００４４】
［効果］
このように構成された複合機１によれば、Ｓ１０及びＳ２０により、読取部１１が原稿検出位置で静止して光源１１Ａが黄色で点灯する状態（本開示でいう第一の点灯状態で点灯する状態。）になる。ＩＤカード２５を載置すべき位置は、原稿検出位置の上方とされている。そのため、利用者は読取部１１の存在する位置を目安にして、ＩＤカード２５を適正な位置に載置することができ、その作業を容易に実施することができる。また、適正な位置にＩＤカード２５が載置された場合は、Ｓ３０，Ｓ５０，Ｓ６０，及びＳ８０により、光源１１Ａの点灯状態が緑色で点灯する状態（本開示でいう第二の点灯状態。）に切り替わる。そのため、この点灯状態の変化によって適正な位置にＩＤカード２５が載置されたことを確認できるので、ＩＤカード２５を極めて容易に適正な位置に載置することができる。その結果、ＩＤカード２５を読取部１１が読み取った場合に、画像の欠落等の不具合のない良好な出力画像を得ることができる。
【００４５】
また、本実施形態の場合、Ｓ６０により、ＩＤカード２５が適正に載置されていないと判断された場合には、Ｓ７０により、光源１１Ａを赤色で点灯する状態（本開示でいう第三の点灯状態。）に切り替える。したがって、ＩＤカード２５が適切な位置に載置されて
いないことを、光源１１Ａの点灯状態が変わることにより確認できる。したがって、利用者は、点灯状態の変化を確認しながら、ＩＤカード２５を適切な位置に載置できる。
【００４６】
また、本実施形態の場合、Ｓ７０によって光源１１Ａを赤色で点灯する状態に切り替えた後、再度、Ｓ３０以降を実行する。したがって、利用者がＩＤカード２５を載置し直した場合に、その位置が適正な位置か否かを再度判断することができる。
【００４７】
また、本実施形態の場合、Ｓ５０，Ｓ６０では、読取部１１によってＩＤカード２５の画像を読み取り可能な読取範囲Ｒ１からＩＤカード２５がはみ出している可能性があると推定された場合に、ＩＤカード２５が適正に載置されていないと判断する。したがって、ＩＤカード２５の位置が、プラテンガラス２１の支持面周縁に偏っている場合には、適正な位置にないと判断され、利用者にＩＤカード２５を置き直すように促すことができる。これにより、ＩＤカード２５の画像の一部が欠落するのを抑制できる。
【００４８】
また、本実施形態の場合、Ｓ５０，Ｓ６０では、ＩＤカード２５の向きが、長方形のＩＤカード２５が有する長辺と副走査方向が平行となる向きにされている可能性があると推定された場合に、ＩＤカード２５が適正に載置されていないと判断する。したがって、利用者にＩＤカード２５を置き直すように促すことができる。
【００４９】
また、本実施形態の場合、Ｓ５０，Ｓ６０では、複数の受光素子１１Ｂによる受光状態に基づき、主走査方向についてＩＤカード２５が存在する範囲とＩＤカード２５が存在しない範囲とを判断し、それら二種の範囲に基づいて、ＩＤカード２５がプラテンガラス２１に適正に載置されているか否かを判断する。したがって、簡単な手法により、ＩＤカード２５の位置を判断できる。
【００５０】
また、本実施形態の場合、光源１１Ａの点灯状態に対応する可視情報（図２Ａ〜図２Ｇ参照。）を表示部１５に表示することにより、光源１１Ａの点灯状態が示す意味を報知する。したがって、表示部１５に表示される可視情報により、利用者は光源１１Ａの点灯状態が示す意味を知ることができ、それに応じた適正な対処を行うことができる。
【００５１】
また、本実施形態の場合、出力画像のサイズに応じてＩＤカード２５の画像を読み取る際の読取範囲Ｒ１を決定するとともに、当該読取範囲Ｒ１に応じて原稿検出位置を決定する。したがって、出力画像のサイズに応じて、ＩＤカード２５の画像を読み取る際の読取範囲Ｒ１と、原稿検出位置とを、動的に決定することができる。
【００５２】
また、本実施形態の場合、ＩＤカード２５が有する一方の面の画像と他方の面の画像とをそれぞれ読み取る際、２回にわたってＳ１０〜Ｓ１１０が実行される。したがって、一方の面の画像を読み取る場合、及び他方の面の画像を読み取る場合、いずれの場合でも、ＩＤカード２５が適正な位置に載置されたか否かを判断することができる。
【００５３】
［他の実施形態］
以上、画像処理装置、及び画像処理装置用のプログラムについて、例示的な実施形態を挙げて説明したが、上述の実施形態は本開示の一態様として例示されるものに過ぎない。すなわち、本開示は、上述の例示的な実施形態に限定されるものではなく、本開示の技術的思想を逸脱しない範囲内において、様々な形態で実施することができる。
【００５４】
例えば、上記実施形態では、Ｓ２０、Ｓ８０、及びＳ９０を、Ｓ３０〜Ｓ７０の繰り返し処理の外で実行していたが、これらＳ２０、Ｓ８０、及びＳ９０を、Ｓ３０〜Ｓ７０の繰り返し処理の中で実行してもよい。この場合は、Ｓ８０で読取部１１を緑色に点灯させた後、Ｓ９０でスタート押下がなされる前にＩＤカード２５の位置が変更されれば、その
ことをＳ３０，Ｓ５０で検出、判定し、問題があればＳ７０で読取部１１を赤色に点灯させる、といったことが可能となる。あるいは、Ｓ８０で読取部１１を緑色に点灯させた後、Ｓ９０でスタート押下がなされる前にＩＤカード２５が撤去されれば、そのことをＳ３０で検出し、Ｓ２０で読取部１１を再度黄色に点灯させる、といったことも可能となる。
【００５５】
また、上記実施形態では、読取部１１の発光色を黄色、緑色、及び赤色に変更することにより、利用者に対して状況を報知していたが、読取部１１の発光色以外に、点灯・点滅状態で、利用者に対して状況を報知することも可能である。例えば、Ｓ２０では光源１１Ａを黄色に点灯させる代わりに、ゆっくりとした周期で光源１１Ａを点滅させ、Ｓ７０では光源１１Ａを赤色に点灯させる代わりに、Ｓ２０よりも早い周期で光源１１Ａを点滅させ、Ｓ８０では光源１１Ａを緑色に点灯させる代わりに、光源１１Ａを常時点灯させる（すなわち、点滅させない。）ように構成してもよい。あるいは、このような発光色による報知と、点滅状態による報知とを組み合わせて採用してもよい。
【００５６】
また、上記実施形態では、利用者が入力部１４においてＩＤコピー機能を利用する旨の入力操作を行うと、複合機１の作動モードがＩＤコピーモードに切り替わる例を示したが、他の手法で作動モードを切り替えてもよい。より具体的には、例えば、入力部１４に代えて、通信部１６を介して通信可能に接続された外部機器（例えば、パーソナルコンピュータ等。図示略。）において、利用者がＩＤコピー機能を利用する旨の入力操作を行った場合に、複合機１の作動モードがＩＤコピーモードに切り替わってもよい。あるいは、パスポート又は自動車運転免許証のサイズ以下の原稿が読取部１１にセットされたことをセンサ（図示略。）で検出した場合に、複合機１の作動モードがＩＤコピーモードに切り替わってもよい。
【００５７】
さらに、上記実施形態において、一つの構成要素で実現していた所定の機能を、複数の構成要素が協働して実現するように構成してあってもよい。あるいは、上記実施形態では、複数の構成要素それぞれが有していた複数の機能や、複数の構成要素が協働して実現していた所定の機能を、一つの構成要素が実現するように構成してあってもよい。また、上記実施形態の構成の一部を省略してもよい。また、上記実施形態の構成の少なくとも一部を、他の上記実施形態の構成に対して付加又は置換してもよい。また、上述した画像処理装置の他、上述した画像処理装置を構成要素とするシステムなど、種々の形態で本開示を実現することもできる。また、上述した画像処理装置が備える一部の機能を複合機に設け、残りの機能を複合機に接続される外部機器（ＰＣ等）に設け、これら複合機及び外部機器が協働して上述した画像処理装置として機能するように構成されていてもよい。この場合、複合機及び外部機器それぞれにおいて必要となる情報は相互に通信して伝達し合えばよい。
【００５８】
また、画像処理装置用のプログラムという形態で本開示を実現することもできる。画像処理装置が備える一部の機能を複合機に設け、残りの機能を複合機に接続される外部機器（ＰＣ等）に設ける場合は、複合機用のプログラム及び外部機器用のプログラムを用意し、それらのプログラム群で各機器を作動させることにより、それらの機器群で画像処理装置としての機能を実現すればよい。このようなプログラムは、光ディスク、磁気ディスク、半導体製メモリ等、非遷移的実体的記録媒体（non-transitory tangible storage media）に記録して利用者に提供することができる。あるいは、ネットワークを介して画像処理装置にダウンロードされてもよい。
【００５９】
［補足］
なお、以上説明した例示的な実施形態から明らかなように、本開示の画像処理装置は、更に以下に挙げるような構成を備えていてもよい。
【００６０】
まず、本開示の画像処理装置において、第一の点灯状態及び第二の点灯状態は、光源の発光色、及び光源の点滅パターンのうち、少なくとも一方が互いに異なる点灯状態とされていてもよい。
【００６１】
このように構成された画像処理装置によれば、光源の発光色及び光源の点滅パターンのうち、少なくとも一方が変化することによって適正な位置に原稿が載置されたことを確認できる。
【００６２】
また、本開示の画像処理装置において、処理部は、判断処理によって原稿が適正に載置されていないと判断された場合に、切り替え処理において、光源を第一の点灯状態及び第二の点灯状態とは異なる第三の点灯状態で点灯させた状態に切り替えるように構成されていてもよい。
【００６３】
このように構成された画像処理装置によれば、原稿が適切な位置に載置されていないことを、光源の点灯状態が変わることにより確認できる。したがって、利用者は、点灯状態の変化を確認しながら、原稿を適切な位置に載置できる。
【００６４】
また、本開示の画像処理装置において、第一の点灯状態及び第二の点灯状態は、光源の発光色、及び光源の点滅パターンのうち、少なくとも一方が互いに異なる点灯状態とされ、第一の点灯状態及び第三の点灯状態は、光源の発光色、及び光源の点滅パターンのうち、少なくとも一方が互いに異なる点灯状態とされ、第二の点灯状態及び第三の点灯状態は、光源の発光色、及び光源の点滅パターンのうち、少なくとも一方が互いに異なる点灯状態とされていてもよい。
【００６５】
このように構成された画像処理装置によれば、光源の発光色及び光源の点滅パターンのうち、少なくとも一方が変化することによって適正な位置に原稿が載置されたことを確認でき、また、適正な位置に原稿が載置されていないことを確認することもできる。
【００６６】
また、本開示の画像処理装置において、処理部は、切り替え処理によって光源を第三の点灯状態に切り替えた後、再度、判断処理を実行するように構成されていてもよい。
このように構成された画像処理装置によれば、利用者が原稿を載置し直した場合に、その位置が適正な位置か否かを再度判断することができる。
【００６７】
また、本開示の画像処理装置において、処理部は、判断処理において、複数の受光素子による受光状態に基づき、読取部によって原稿の画像を読み取り可能な範囲から原稿がはみ出している可能性があると推定された場合に、原稿が適正に載置されていないと判断するように構成されていてもよい。
【００６８】
このように構成された画像処理装置によれば、原稿の位置が支持面の周縁に偏っている場合には、適正な位置にないと判断され、利用者に原稿を置き直すように促すことができる。これにより、原稿の画像の一部が欠落するのを抑制できる。
【００６９】
また、本開示の画像処理装置において、処理部は、判断処理において、複数の受光素子による受光状態に基づき、原稿の向きが、長方形の原稿が有する長辺と副走査方向が平行となる向きにされている可能性があると推定された場合に、原稿が適正に載置されていないと判断するように構成されていてもよい。
【００７０】
このように構成された画像処理装置によれば、長方形の原稿の長辺が副走査方向と平行になっている場合には、適正な位置にないと判断され、利用者に原稿を置き直すように促すことができる。
【００７１】
また、本開示の画像処理装置において、処理部は、判断処理において、複数の受光素子による受光状態に基づき、主走査方向について原稿が存在する範囲と原稿が存在しない範囲とを判断し、それら二種の範囲に基づいて、原稿が支持面に適正に載置されているか否かを判断するように構成されていてもよい。
【００７２】
このように構成された画像処理装置によれば、複数の受光素子による受光状態に基づき、主走査方向について原稿が存在する範囲と原稿が存在しない範囲とを判断し、それら二種の範囲に基づいて、原稿が支持面に適正に載置されているか否かを判断する。したがって、簡単な手法により、原稿の位置を判断できる。
【００７３】
また、本開示の画像処理装置において、可視情報を表示可能な表示部を備え、処理部は、切り替え処理によって光源の点灯状態が切り替えられるのに伴って、光源の点灯状態に対応する可視情報を表示部に表示することにより、光源の点灯状態が示す意味を報知する報知処理を実行可能に構成されていてもよい。
【００７４】
このように構成された画像処理装置によれば、表示部に表示される可視情報により、利用者は光源の点灯状態が示す意味を知ることができ、それに応じた適正な対処を行うことができる。
【００７５】
また、本開示の画像処理装置において、処理部は、出力画像のサイズに応じて原稿の画像を読み取る際の読取範囲を決定するとともに、当該読取範囲に応じて原稿検出位置を決定するように構成されていてもよい。
【００７６】
このように構成された画像処理装置によれば、出力画像のサイズに応じて、原稿の画像を読み取る際の読取範囲と、原稿検出位置とを、動的に決定することができる。
また、本開示の画像処理装置において、処理部は、原稿が有する一方の面の画像と他方の面の画像とをそれぞれ読み取ってから、それら二つの画像を合成して単一の出力画像として出力する合成処理を実行可能に構成されていて、一方の面の画像を読み取る場合、及び他方の面の画像を読み取る場合、それぞれにおいて、判断処理及び当該判断処理に引き続いて実行される各処理が実行されるように構成されていてもよい。
【００７７】
このように構成された画像処理装置によれば、一方の面の画像を読み取る場合、及び他方の面の画像を読み取る場合、それぞれにおいて、判断処理及び当該判断処理に引き続いて実行される各処理が実行される。したがって、一方の面の画像を読み取る場合、及び他方の面の画像を読み取る場合、いずれの場合でも、原稿が適正な位置に載置されたか否かを判断することができる。
【００７８】
なお、以上説明したような本開示の画像処理装置が備えていてもよい構成は、本開示の画像処理装置用のプログラムによって実現されてもよい。
【符号の説明】
【００７９】
１…複合機、３…ＣＰＵ、５…ＲＡＭ、７…ＲＯＭ、１１…読取部、１１Ａ…光源、１１Ｂ…受光素子、１２…画像形成部、１３…補助記憶部、１４…入力部、１５…表示部、１６…通信部、１８…インターフェース部、２１…プラテンガラス、２５…ＩＤカード、２７…被記録媒体。
【図１】
2017200146.tif 000003
【図２】
2017200146.tif 000004
【図３】
2017200146.tif 000005
【図４】
2017200146.tif 000006
【図５】
2017200146.tif 000007
【図６】
2017200146.tif 000008
【図７】
2017200146.tif 000009